(57)【特許請求の範囲】
【請求項１】
浮遊構造物の波の入射側の側面に、喫水線付近を上端として波の進行方向上流側に向け傾斜し且つ下端を浮遊構造物の下面深さ付近まで至らせた傾斜板と、該傾斜板の下端から浮遊構造物側へ向け略水平に延び且つ適宜位置に開口部を形成した底板とから成る減揺中空体を付設し、該減揺中空体の内部空間の両端部を外部に開放したことを特徴とする浮遊構造物の横揺れ低減構造。
【発明の詳細な説明】
【０００１】
【発明の属する技術分野】
本発明は、海上などの沿岸域に浮遊設置されて各種用途に使用される浮遊構造物の波浪などによる横揺れを低減する構造に関するものである。
【０００２】
【従来の技術】
近年、沿岸域の有効利用を図ることが考えられ、大型のコンベンション施設や駐車場施設などをポンツーン形の浮遊構造物として製作し、これらを浮遊設置することが行われつつある。
【０００３】
このような沿岸域の浮遊構造物を地上構造物と同様に利用しようとした場合、できるだけ波による揺動を少なくするようにしなければならない為、従来における浮遊構造物の多くは、沿岸域の定位置に多数のチェーンやワイヤロープなどにより係留するようにしているが、単にチェーンやワイヤロープの数を多くするだけでは波による揺動を有効に低減できていないのが実情である。
【０００４】
特に沿岸域における浮遊構造物では、図４に平面的に示すように、岸壁１に係留された浮遊構造物２に対して沖合側から略一定の方向の波Ｗの力が加わることが多く、この波Ｗによる横揺れＲ（ローリング）の低減が最も大きな課題となっている。
【０００５】
そこで、本発明の出願人は、既に特願平３−１９１４５号として有効な浮遊構造物の横揺れ低減構造を出願しており、この既出願の発明においては、例えば図５に概略的に示すように、箱型浮体（ポンツーン）として設けられた浮遊構造物２における波Ｗの入射側の側面２ｘを、波Ｗの進行方向の上流側に向けて傾斜した形状とすることを提案している。
【０００６】
事実、このような形状を採用することによって、浮遊構造物２の横揺れＲに対する波強制モーメント及び横揺れ振幅を小さくすることができ、横揺れＲを大幅に低減できることが水槽試験により確認されている。
【０００７】
【発明が解決しようとする課題】
しかしながら、既出願の従来構造においては、浮遊構造物２自体の形状変更により横揺れＲを低減するようにしている為、浮遊構造物２が波Ｗの進行方向に非対称な形状となり、波Ｗの入射側に余分な浮力が増してしまうことになるので、浮遊構造物２の中立を維持・調整するのに難点があり、これによって、その上面における各種機器の配置にも制約が生じるという不具合があった。
【０００８】
本発明は上述の実情に鑑みてなしたもので、従来構造より横揺れを低減する効果が高く、しかも、浮遊構造物の中立を容易に維持・調整し得るようにした浮遊構造物の横揺れ低減構造を提供することを目的としている。
【０００９】
【課題を解決するための手段】
本発明は、浮遊構造物の波の入射側の側面に、喫水線付近を上端として波の進行方向上流側に向け傾斜し且つ下端を浮遊構造物の下面深さ付近まで至らせた傾斜板と、該傾斜板の下端から浮遊構造物側へ向け略水平に延び且つ適宜位置に開口部を形成した底板とから成る減揺中空体を付設し、該減揺中空体の内部空間の両端部を外部に開放したことを特徴とする浮遊構造物の横揺れ低減構造、に係るものである。
【００１０】
而して、このようにすれば、減揺中空体を含めた浮遊構造物の全体形状が、従来構造のように浮遊構造物自体の波の入射側の側面を波の進行方向の上流側に向けて傾斜させたものと同等となり、これによって、横揺れに対する波強制モーメントが小さくなると共に、横揺れ振幅も小さくなる。
【００１１】
このとき、減揺中空体における底板の下側において、波の入射により水が上下動するが、その水は底板の開口部を自由に出入りするようになっているので、減揺中空体自体が浮力を生じることがなく、しかも、底板の開口部を水が出入りする際には、その水の出入りの出側にて渦が形成されて横揺れに対する大きな減衰力が発生することになる。
【００１２】
【発明の実施の形態】
以下本発明の実施の形態を図面を参照しつつ説明する。
【００１３】
図１〜図３は本発明を実施する形態の一例を示すもので、図５と同一の符号を付した部分は同一物を表わしている。
【００１４】
図１及び図２に示す如く、本形態例においては、浮遊構造物２の波Ｗの入射側の側面２ｘに、喫水線３（浮遊構造物が水中に入る分界線）付近を上端として波Ｗの進行方向上流側に向け傾斜し且つ下端を浮遊構造物２の下面深さ付近まで至らせた傾斜板４と、該傾斜板４の下端から浮遊構造物２側へ向け略水平に延び且つ前記浮遊構造物２の波Ｗの入射側の側面２ｘ付近にて開口部５を形成した底板６とから成る減揺中空体７が付設されており、波Ｗの進行方向に対し略直角な水平方向から見て三角形状の内部空間８が形成されるようにしてある。
【００１５】
ここで、減揺中空体７の内部空間８は、波Ｗの進行方向に対し略直角な水平方向に向けて延び且つその両端部を外部に開放した状態となっているので、底板６に形成した開口部５から水が自由に出入りする構造となっており、減揺中空体７自体が浮力を生じないようにしてある。
【００１６】
また、減揺中空体７は傾斜板４と底板６とから成る板組構造物となっているので、減揺中空体７の付設による重量増は軽微であり、減揺中空体７を付設する前の浮遊構造物２と比較して、前記の軽微な重量増分だけ排水量（浮遊構造物２が静水中で浮かび平衡を保つときに浮遊構造物２の水没部分が排除する水の重量：水面下の浮遊構造物２の容積と水の比重との積）が増えるにすぎない。
【００１７】
尚、図示では、減揺中空体７における傾斜板４の上端を喫水線３に合わせてあるが、傾斜板４の上端は喫水線３付近に位置していれば良く、例えば、喫水線３より多少下側に位置していても構わないものではあるが、より好ましくは、喫水線３より上側に位置している方が効果的である。
【００１８】
而して、このようにすれば、減揺中空体７を含めた浮遊構造物２の全体形状が、従来構造のように浮遊構造物２自体の波Ｗの入射側の側面２ｘを波Ｗの進行方向の上流側に向けて傾斜させたものと同等となり、これによって、横揺れＲに対する波強制モーメントが小さくなると共に、横揺れ振幅も小さくなる。
【００１９】
このとき、減揺中空体７における底板６の下側において、波Ｗの入射により水が上下動するが、その水は底板６の開口部５を自由に出入りするようになっているので、減揺中空体７自体が浮力を生じることがなく、しかも、底板６の開口部５を水が出入りする際には、図３に実線の矢印と破線の矢印とで示す如く、水の出入りの出側にて渦が形成されて横揺れＲに対する大きな減衰力が発生することになる。
【００２０】
従って上記形態例によれば、減揺中空体７が成す外形形状により、浮遊構造物２の横揺れＲに対する波強制モーメント及び横揺れ振幅を従来と同様に小さくすることができ、しかも、減揺中空体７の底板６の開口部５を通して水を出入りさせることによる減衰力も相乗的に作用させることができるので、従来構造より横揺れを低減する効果を大幅に向上することができる。
【００２１】
しかも、減揺中空体７は傾斜板４と底板６とから成る板組構造物となっていて余分な浮力を生じることがなく且つ減揺中空体７の付設による重量増も軽微で済むので、減揺中空体７を含めた浮遊構造物２の全体形状が波Ｗの進行方向に非対称な形状となっていても、浮遊構造物２の中立を容易に維持・調整することができ、これによって、その上面における各種機器の配置に関する制約も大幅に緩和することができ、特に既存の浮遊構造物２に対し中立の維持・調整や各種機器の配置上の制約などに関する格別顕著な不具合を招くことなく極めて容易に適用することができる。
【００２２】
尚、本発明の浮遊構造物の横揺れ低減構造は、上述の形態例にのみ限定されるものではなく、本発明の要旨を逸脱しない範囲内において種々変更を加え得ることは勿論である。
【００２３】
【発明の効果】
上記した本発明の浮遊構造物の横揺れ低減構造によれば、下記の如き種々の優れた効果を奏し得る。
【００２４】
（Ｉ）減揺中空体が成す外形形状により、浮遊構造物の横揺れに対する波強制モーメント及び横揺れ振幅を従来と同様に小さくすることができ、しかも、減揺中空体の底板の開口部を通して水を出入りさせることによる減衰力も相乗的に作用させることができるので、従来構造より横揺れを低減する効果を大幅に向上することができる。
【００２５】
（ＩＩ）減揺中空体は傾斜板と底板とから成る板組構造物となっていて余分な浮力を生じることがなく且つ減揺中空体の付設による重量増も軽微で済むので、減揺中空体を含めた浮遊構造物の全体形状が波の進行方向に非対称な形状となっていても、浮遊構造物の中立を容易に維持・調整することができ、これによって、その上面における各種機器の配置に関する制約も大幅に緩和することができ、特に既存の浮遊構造物に対し中立の維持・調整や各種機器の配置上の制約などに関する格別顕著な不具合を招くことなく極めて容易に適用することができる。
【図面の簡単な説明】
【図１】本発明を実施する形態の一例を概略的に示す斜視図である。
【図２】図２の側面図である。
【図３】図２の減揺中空体内に出入りする水の動きを説明する拡大図である。
【図４】沿岸域における浮遊構造物の設置状態を示す平面図である。
【図５】従来例を示す斜視図である。
【符号の説明】
２          浮遊構造物
２ｘ        波の入射側の側面
３          喫水線
４          傾斜板
５          開口部
６          底板
７          減揺中空体
Ｒ          横揺れ
Ｗ          波
【図１】
0004022973.tif 000002
【図２】
0004022973.tif 000003
【図３】
0004022973.tif 000004
【図４】
0004022973.tif 000005
【図５】
0004022973.tif 000006